(57)【要約】      （修正有）【課題】植木鉢と受け皿を固定して転倒防止や、簡易に着脱して受け皿の交換や植物の植替えを可能にする利便性を有する植木鉢と受け皿を提供する。【解決手段】底部外面側にメネジ３を有する植木鉢本体１と、前記メネジ３と螺合するオネジ４を上面側に有する受け皿２とからなることを特徴とする植木鉢本体１と受け皿２である。さらに、従来の植木鉢や受け皿に簡易に貼付けて使用可能な、植木鉢本体を載置する第１アタッチメントと、植木鉢本体の受け皿第２アタッチメントとよりなり、前記第１アタッチメントは、これに載置した植木鉢本体の底部穴から排水される水を外部へ排出する排出穴７と、底部外面側にメネジ３を有し、前記受け皿第２アタッチメントは、その上面側に前記メネジ３と螺合するオネジ４を有していることを特徴としてアタッチメントを構成する。【選択図】図１
0003156937.tif 000002
【実用新案登録請求の範囲】
【請求項１】
底部外面側にメネジを有する植木鉢本体と、前記のメネジと螺合するオネジを上面側に有する受け皿とからなることを特徴とする植木鉢。
【請求項２】
植木鉢本体を載置する第１アタッチメントと、植木鉢本体の受け皿第２アタッチメントとよりなり、前記第１アタッチメントは、これに載置した植木鉢本体の底部穴から排水される水を外部へ排出する排出穴と、底部外面側にメネジを有し、前記受け皿第２アタッチメントは、その上面側に前記メネジと螺合するオネジを有していることを特徴とする植木鉢。
【請求項３】
前記受け皿が、複数のオネジを設けた台板となっている請求項１記載の設置台。
【考案の詳細な説明】
【技術分野】
【０００１】
本考案は、簡単に着脱ができる、鉢底部外面側にメネジもつ植木鉢と、前記のメネジと螺合するオネジを上面側にもつ受け皿に関する。
植木鉢と受け皿を螺合することによる転倒防止の構造に関する。
【背景技術】
【０００２】
従来のものは、植木鉢を設置する台に穴を設け、この穴に植木鉢を設置して固定する方法（特許文献１）、植木鉢と受け皿に穴を開けて固定用ベルトなどで固定する方法（特許文献２）、植木鉢を設置するスタンドを設け、これに植木鉢を設置して固定する方法（特許文献３）、植木鉢を設置する台に支え具を設けて植木鉢の側面を支えて固定する方法（特許文献４）、図４は、植木鉢１の脚部２と受け皿３にＬ字フック４を設けて引掛けて固定する方法（特許文献５）などの転倒防止策を講じているものがある。
【先行技術文献】
【特許文献】
【０００３】
【特許文献１】特開２００１−１６９９０号公報
【特許文献２】特開２００１−１６１１７２号公報
【特許文献３】特開２００５−５８０２０号公報
【特許文献４】特開２００６−２０６１１号公報
【特許文献５】実願２００８−７１９９号公報（図４）
【考案の概要】
【考案が解決しようとする課題】
【０００４】
従来のものは、複雑な構造であり、移動や植え替えのとき植木鉢と受け皿の交換に手間が掛かるものなど、全般的に利便性に乏しい面がある。
また、大掛かりな構造であり転倒防止具が露出しているので、見栄えが悪く展示の用途に向かない。
【課題を解決するための手段】
【０００５】
本考案は、植木鉢の底部外面側にメネジを設け、受け皿の上面側にオネジを設けて、植木鉢本体と受け皿を螺合させ固定させ転倒防止の構造をもつものである。
【０００６】
さらに本考案は、従来の植木鉢や受け皿に簡易に貼付けて使用可能な、植木鉢第１アタッチメントには下面側にメネジと、これに載置した植木鉢本体の底部穴から排水される水を外部へ排出する排出穴とを有し、受け皿第２アタッチメントにはオネジを上面側に有し、螺合することを特徴とするアタッチメントである。
【０００７】
さらに、展示などの台板に対して、上面側に複数のオネジを設けて、植木鉢底部外面側のメネジと螺合することを特徴とする設置台である。
【考案の効果】
【０００８】
植木鉢底部外面側のメネジと受け皿の上面側のオネジを螺合させて固定させる構造であるので、取替えや植替えのときの着脱が簡単にできる利便性を有する。
重量の重い材料の受け皿や、接地面積の大きい受け皿を取り付けられることによる転倒防止の効果を有する。また、受け皿を利用したことによる水漏れ防止や汚れ防止の効果を有する。
さらに、植木鉢底部外面側のメネジと螺合させる台板上面側に複数のオネジを有する設置台を利用した展示などにおいて見栄え改善の効果が期待できる。
【考案を実施するための形態】
【０００９】
本考案を適用した植木鉢本体と受け皿の構造の一実施の形態について、図１，図２，図３を用いて説明する。
図１は、本考案の植木鉢と受け皿の断面図である。
図２は、従来の植木鉢や受け皿に貼付け用のアタッチメントの断面図である。
図３は、展示などの設置台の断面図である。
【００１０】
本考案の図１は、鉢底部外面側にメネジ３を有する植木鉢本体１と、前記メネジ３と螺合するオネジ４を上面側に有する受け皿２で構成していることを特徴とする。
材料には、プラスチック、泥素焼き、瀬戸物、ガラス、鋳物、ステンレスなどを使用して構成する。特に転倒防止用の受け皿３は、重量の重い素材などを使用すると良い。
サイズは大、中、小のもの、深さは浅、深、中間のもの、形状は円形、六角形などの構造とする。
【００１１】
図２は、従来の植木鉢や受け皿に貼付けて使用可能な、植木鉢第１アタッチメント５には下面側にメネジ３と、これに載置した植木鉢本体の底部穴から排水される水を外部へ排出する排出穴７とを有し、従来の植木鉢底部外面側に貼付けて使用する、受け皿第２アタッチメント６にはオネジ４を上面側に有し、従来の受け皿の上面側に貼付けて、前記メネジ３と螺合することを特徴とするアタッチメントである。
貼付けには、強力な接着力で経年劣化の少ないシリコン系の接着剤を使用すると良い。
【００１２】
図３は、台板上面側に複数のオネジ４を有する設置台８である。
【図面の簡単な説明】
【００１３】
【図１】本考案の、メネジをもつ植木鉢本体と、オネジをもつ受け皿の断面図である。
【図２】従来の植木鉢や受け皿に貼付け用アタッチメントの断面図である。
【図３】上面側に複数のオネジをもつ設置台の断面図である。
【図４】従来の植木鉢の一例。
【符号の説明】
【００１４】
１  植木鉢本体
２  受け皿
３  メネジ
４  オネジ
５  第１アタッチメント（植木鉢用）
６  第２アタッチメント（受け皿用）
７  水排出穴
８  設置台
９  従来の植木鉢
１０  従来の受け皿
【図１】
0003156937.tif 000003
【図２】
0003156937.tif 000004
【図３】
0003156937.tif 000005
【図４】
0003156937.tif 000006
【手続補正書】
【提出日】平成21年10月26日(2009.10.26)
【手続補正２】
【補正対象書類名】実用新案登録請求の範囲
【補正対象項目名】請求項３
【補正方法】変更
【補正の内容】
【請求項３】
前記受け皿が、複数のオネジを設けた台板となっている請求項１記載の植木鉢。
【手続補正３】
【補正対象書類名】明細書
【補正対象項目名】００１２
【補正方法】変更
【補正の内容】
【００１２】図３は、台板上面側に複数のオネジ４を有する植木鉢８である。
【手続補正４】
【補正対象書類名】明細書
【補正対象項目名】００１３
【補正方法】変更
【補正の内容】
【００１３】
【図１】本考案の、メネジをもつ植木鉢本体と、オネジをもつ受け皿の断面図である。
【図２】従来の植木鉢や受け皿に貼付け用アタッチメントの断面図である。
【図３】上面側に複数のオネジをもつ植木鉢の断面図である。
【図４】従来の植木鉢の一例。
【手続補正５】
【補正対象書類名】明細書
【補正対象項目名】００１４
【補正方法】変更
【補正の内容】
【００１４】１  植木鉢本体
２  受け皿
３  メネジ
４  オネジ
５  第１アタッチメント（植木鉢用）
６  第２アタッチメント（受け皿用）
７  水排出穴
８  植木鉢
９  従来の植木鉢
１０  従来の受け皿